(57)【要約】【課題】かご内の異常をより正確に検出することができるエレベータの監視装置を得る。【解決手段】かご１内に電波が進入することを防止する電波吸収シート２と、かご１内の電波を検出する電波検出装置３と、電波検出装置３の検出信号とかご１を制御する制御装置６から送られる制御信号とに基づいて、かご１内の異常を検出する異常検出装置５とを備えている。異常検出装置５は、かご１を他の階へ移動させて出入口を開く走行戸開信号を制御装置６へ送るようになっている。【選択図】図１
2012051661.tif 000002
【特許請求の範囲】
【請求項１】
かご内に電波が進入することを防止するシールド装置と、
前記かご内の電波を検出する電波検出装置と、
前記電波検出装置の検出信号と前記かごを制御する制御装置から送られる制御信号とに基づいて、前記かご内の異常を検出する異常検出装置とを備えたことを特徴とするエレベータの監視装置。
【請求項２】
前記異常検出装置は、前記かごを他の階へ移動させてエレベータの出入口を開く走行戸開信号を前記制御装置へ送ることを特徴とする請求項１に記載のエレベータの監視装置。
【請求項３】
前記シールド装置は、電波吸収シートであることを特徴とする請求項１または請求項２に記載のエレベータの監視装置。
【発明の詳細な説明】
【技術分野】
【０００１】
この発明は、かご内の異常を検出するエレベータの監視装置に関する。
【背景技術】
【０００２】
従来、かご内の人物を撮影する監視カメラと、監視カメラが撮影した画像を解析し、かご内における急病人の発生等、かご内の異常を検出する異常検出装置とを備えたエレベータの監視装置が知られている（例えば、特許文献１参照）。
【先行技術文献】
【特許文献】
【０００３】
【特許文献１】特開２００７−９１４６２号公報
【発明の概要】
【発明が解決しようとする課題】
【０００４】
しかしながら、かご内であって監視カメラの死角となる位置に急病人がいる場合には、監視カメラが急病人を撮影することができないので、エレベータの監視装置は、かご内の異常を検出することができないという問題点があった。
【０００５】
この発明は、かご内の異常をより正確に検出することができるエレベータの監視装置を提供するものである。
【課題を解決するための手段】
【０００６】
この発明に係るエレベータの監視装置は、かご内に電波が進入することを防止するシールド装置と、前記かご内の電波を検出する電波検出装置と、前記電波検出装置の検出信号と前記かごを制御する制御装置から送られる制御信号とに基づいて、前記かご内の異常を検出する異常検出装置とを備えている。
【発明の効果】
【０００７】
この発明に係るエレベータの監視装置によれば、シールド装置によってかご内に電波が進入することが防止され、電波検出装置によりかご内の電波が検出され、異常検出装置が、電波検出装置の検出信号とかごを制御する制御装置から送られる制御信号とに基づいてかご内の異常を検出するので、かご内の急病人が、電波を発信する装置、例えば、携帯電話を所持する場合には、かご内の異常をより正確に検出することができる。
【図面の簡単な説明】
【０００８】
【図１】この発明の実施の形態１に係るエレベータを示すブロック図である。
【図２】図１のエレベータの監視装置の動作を示すフローチャートである。
【発明を実施するための形態】
【０００９】
実施の形態１．
図１はこの発明の実施の形態１に係るエレベータを示すブロック図である。図において、エレベータのかご１には、かご１内に携帯電話用の電波が進入することを防止する電波吸収シート（シールド装置）２が設けられている。電波吸収シート２は、かご１の全周囲を覆っている。これにより、かご１内に配置された携帯電話には、基地局からの電波が届かず、かご１内に配置された携帯電話は圏外となる。
【００１０】
かご１内には、かご１内において携帯電話用の電波を検出する電波検出装置３が設けられている。圏外となった携帯電話は、基地局をサーチするために電波を発するので、携帯電話がかご１内に持ち込まれることにより、電波検出装置３は、かご１内の電波を検出する。かご１の外側には、電波検出装置３の検出信号を受ける検出信号送信装置４が設けられている。検出信号送信装置４は、タイマーを有している。
【００１１】
検出信号送信装置４には、信号線を介して異常検出装置５が接続されている。異常検出装置５は、タイマーおよび演算部５ａを有している。検出信号送信装置４は、電波検出装置３から検出信号を受けてから、所定の時間、この例では、５秒間、かご１内で電波が検出されたことを示す検出信号を異常検出装置５へ送り続けるようになっている。
【００１２】
異常検出装置５には、信号線を介して、かご１を制御する制御装置６が接続されている。制御装置６は、かご１を制御する制御信号を異常検出装置５へ送るようになっている。制御装置６から異常検出装置５へ送られる制御信号には、かご１が走行中であるか停止中であるかを示す情報、エレベータの出入口が全閉状態であるか開状態であるかを示す情報、かご呼びの有無を示す情報、乗場呼びの有無を示す情報等が含まれる。
【００１３】
異常検出装置５は、検出信号送信装置４からかご１内で電波が検出されたことを示す検出信号を所定の時間受け続け、さらに、制御装置６からかご１が停止中であることを示す情報とエレベータの出入口が全閉状態であることを示す情報とかご呼びが無いことを示す情報と乗場呼びが無いことを示す情報とを含んだ制御信号を受けることにより、携帯電話を所持する人がかご１内に留まっていること、つまり、かご１内の異常を検出する。これにより、異常検出装置５は、携帯電話を所持する急病人（例えば、かご１内で倒れた人）がかご１内にいることを検出することができ、また、携帯電話を所持する不審者がかご１内に留まっていることを検出することができる。異常検出装置５は、かご１内の異常を検出することにより、かご１を他の階へ移動させてエレベータの出入口を開く走行戸開信号を制御装置６へ送るようになっている。
【００１４】
異常検出装置５には、信号線を介して監視センタ７が接続されている。異常検出装置５は、かご１内の異常を検出することにより、かご１内に異常が発生したことを示す異常信号を監視センタ７へ送るようになっている。異常検出装置５から監視センタ７へ送られる異常信号には、かご１内に乗客が倒れていることを示す情報、異常が発生したかご１が停止している階を示す情報、エレベータの出入口の開閉状態を示す情報等が含まれる。
【００１５】
エレベータの監視装置には、電波吸収シート２、電波検出装置３、検出信号送信装置４、異常検出装置５が含まれる。
【００１６】
次に、動作について説明する。図２は図１のエレベータの監視装置の動作を示すフローチャートである。エレベータの監視装置は、かご１が停止してから、動作を開始するようになっている。かご１が停止した後、まず、異常検出装置５は、エレベータの出入口が全閉状態かつかご１が停止中で、乗場呼びおよびかご呼びのどちらも無い状態が所定の時間、この例では、１分間以上経過したか否かを判定する（ステップＳ１）。
【００１７】
ステップＳ１で、エレベータの出入口が全閉状態かつかご１が停止中で、乗場呼びおよびかご呼びのどちらも無い状態が所定の時間を経過していないと異常検出装置５が判定すると、ステップＳ１を繰り返す。
【００１８】
一方、ステップＳ１で、エレベータの出入口が全閉状態かつかご１が停止中で、乗場呼びおよびかご呼びのどちらも無い状態が所定の時間を経過したと異常検出装置５が判定すると、異常検出装置５は、検出信号送信装置４からかご１内で電波が検出されたことを示す検出信号を受けている状態が所定の時間、この例では、１分間以上継続したか否かを判定する（ステップＳ２）。
【００１９】
ステップＳ２で、異常検出装置５が検出信号送信装置４から検出信号を受けている状態が所定の時間を継続していないと異常検出装置５が判定すると、ステップＳ２を繰り返す。
【００２０】
一方、ステップＳ２で、異常検出装置５が検出信号送信装置４から検出信号を受けている状態が所定の時間を継続したと異常検出装置５が判定すると、異常検出装置５は、かご１内に異常が発生したことを示す異常信号を監視センタ７へ送り（ステップＳ３）、さらに、かご１を他の階へ移動させてエレベータの出入口を開く走行戸開信号を制御装置６へ送る（ステップＳ４）。
【００２１】
かご１内に異常が発生したことを示す異常信号が異常検出装置５から送られた監視センタ７は、エレベータが設置されているビルのオーナーやビルの管理人に連絡する（ステップＳ５）。以上により、エレベータの監視装置の動作が終了する。
【００２２】
以上説明したように、この発明の実施の形態１に係るエレベータの監視装置によれば、電波吸収シート２によってかご１内に電波が進入することが防止され、電波検出装置３によりかご１内の電波が検出され、異常検出装置５が、電波検出装置３の検出信号とかご１を制御する制御装置６から送られる制御信号とに基づいてかご１内の異常を検出するので、かご１内の急病人が、電波を発信する装置、例えば、携帯電話を所持する場合には、かご１内の異常をより正確に検出することができる。
【００２３】
また、異常検出装置５は、かご１を他の階へ移動させてエレベータの出入口を開く走行戸開信号を制御装置６へ送るので、かご１内に急病人が発生したときに、かご１を他の階へ移動させ、出入口を開くことにより、乗場にいる人がかご１内の急病人を容易に発見することができる。
【００２４】
また、シールド装置は、電波吸収シート２であるので、かご１外からかご１内に電波が進入することを簡単に防止することができる。
【００２５】
なお、上記実施の形態１では、エレベータの監視装置には、検出信号送信装置４が含まれる構成について説明したが、エレベータの監視装置には、検出信号送信装置４が含まれなくてもよい。この場合、異常検出装置５は、電波検出装置３から検出信号を受ける。
【００２６】
また、上記実施の形態１では、検出信号送信装置４が異常検出装置５へ検出信号を所定の時間送り続ける構成について説明したが、電波検出装置３が電波を検出するたびに検出信号送信装置４が異常検出装置５へ検出信号を送り、異常検出装置５が、所定の時間内に検出信号送信装置４から検出信号が送られた回数を計測する構成であってもよい。
【符号の説明】
【００２７】
１  かご、２  電波吸収シート（シールド装置）、３  電波検出装置、４  検出信号送信装置、５  異常検出装置、５ａ  演算部、６  制御装置、７  監視センタ。
【図１】
2012051661.tif 000003
【図２】
2012051661.tif 000004